(57)【要約】  【課題】容器自体を短時間で冷やすことができる構造の冷蔵容器を提供する。   【解決手段】        本発明は、上記目的を達成するために容器の形状を二重壁構造で形成し、該二重壁間にできた中空部を開閉する蓋を設けるとともに、その中空部に保冷剤を保冷容器に入れた冷却部材を配置したことで冷蔵容器を構成しているので冷やす製造上の制約を受けることなく密度を狭めれば速く凍らせる事ができる。図でははめ込み式になっているが、ねじ込み式であっても良い。   【選択図】  図１
0003138983.tif 000002
【実用新案登録請求の範囲】
【請求項１】
容器の形状を二重壁構造で形成し、該二重壁間にできた中空部を開閉する蓋を設けるとともに、その中空部に保冷剤を保冷容器に入れた冷却部材を配置したことを特徴とする冷蔵容器。
【請求項２】
二重側壁間に端開放の中空部を形成した容器とこの中空部を覆う蓋体と、この中空部に保冷剤を保冷容器に入れた冷却部材を配置したことを特徴とする冷蔵容器。
【請求項３】
前記、冷却部材は棒状又はらせん状のもので、あることを特徴とする、請求項１又は請求項２記載の冷蔵容器。
【請求項４】
容器と、この容器の底部に嵌入させてこの容器の底部との間に中空部を形成する蓋体と、この中空部に保冷剤を保冷容器に入れた冷却部材を配置したことを特徴とする冷蔵容器。
【請求項５】
前記、冷却具は平行して配列された複数の区画室を有するプラスチックフィルム制外袋体の各区画室内に、保冷剤を夫々個別に封入されたことを特徴とする請求項１または請求項２記載の冷蔵容器。
【考案の詳細な説明】
【技術分野】
【０００１】
本考案は、例えばビールジョッキや氷入れや皿等が温まりにくくするための冷蔵容器に関するものである。
【背景技術】
【０００２】
従来の冷蔵容器は容器本来の形状を二重壁構造で形成して、該二重壁間に
中空部を形成すると共に該中空部に、冷凍媒体を充填して密封一体としている
ものがある（例えば特許文献１参照）。
【０００３】
しかしながら、製造上の制約からこの中空部の幅を狭くすることができないのが現状である。したがって、冷凍媒体の量が必要以上に多い為このものにおいては冷やし時間が長いという欠点があった。またサワーやジュース類なども氷が早く溶けすぎて薄くなりすぎるという問題点があった。
【０００４】
【特許文献１】実開昭６４−３１９６１号公報
【考案の開示】
【考案が解決しようとする課題】
【０００５】
本考案は以上のような従来の欠点に鑑み、容器自体を短時間で冷やすことができる構造の冷蔵容器を提供することを目的としている。
【課題を解決するための手段】
【０００６】
上記目的を達成するために容器の形状を二重壁構造で形成し、該二重壁間にできた中空部を開閉する蓋を設けるとともに、その中空部に保冷剤を保冷容器に入れた冷却部材を配置したことで冷蔵容器を構成しているので冷やす製造上の制約を受けることなく密度を狭めれば速く凍らせる事ができる。図でははめ込み式になっているが、ねじ込み式であっても良い。
【０００７】
また第二の考案は、二重側壁間に端開放の中空部を形成した本体とこの中空部を覆う蓋体と、この中空部に保冷剤を保冷容器に入れた冷却部材を配置した構成にしたものである。
【０００８】
また第三の考案は、冷却部材は棒状又はらせん状のもので、前記中空部に配置した構成としたものである。
【０００９】
また第四の考案は底部に嵌入させてこの容器の底部との間に中空部を形成する蓋体と、この中空部に保冷剤を保冷容器に入れた冷却部材を配置した構造としたものである
【００１０】
また第五の考案は、冷却具は平行して配列された複数の区画室を有するプラスチックフィルム制外袋体の保冷剤が夫々個別に封入されるものを前記中空部に配置した構成としたものである。
【００１１】
また、冷却部材の形状は円形状以外に四角形、八角形、半円等も、用いる
ことも考えられる。また容器の材質としては、ガラス、アルミニウム、樹脂素材等も考えられる。蓋は熱伝導の良くない樹脂が良い。
【考案の効果】
【００１２】
以上の説明から明らかになるように、本考案にあたっては、次の列挙する効果が得られる。従来の冷蔵容器に比べ保冷剤の量が少なくても良いので５倍は速く固まり冷却することができる。実験では従来の２層冷蔵容器では４時間かかる所を本考案では、約５０分で凍らせることができた。本考案で本体と冷却部材を別々冷やすことができるので、ジョッキ本体を５分程冷やしストックを少なめに、棒状保冷部材及び、らせん状冷却部材、うず巻き状冷却部材を本体の数本より多くの本数を単独で冷やしておき、挿入する事によって、数分間で繰り返し使うことができるので、お店で使う冷蔵容器の回転率が良くなり業務用として提供出来る。
【考案を実施するための最良の形態】
【００１３】
以下、図に示す本考案を実施するための最良の形態により、本考案を詳細に
説明する。
【実施例】
【００１４】
図１ないし図３に示す本考案を実施する第１の実施形態において、この冷蔵容器１は、容器となる本体２と底蓋３と、複数の棒状冷却部材４とうず巻き状冷却部材５とからなるものである。本体２は、内壁２１と外壁２２と底壁２４からなり、内壁２１と外壁２３との間に側壁空間２３が形成されているもので全周二重壁構造になっている。この側壁空間２３には棒状の冷却部材４が縦に入り全周に渡って入れられるところである。冷却部材４は保冷剤４２を樹脂等でできている保冷剤容器４１の中に封入したストロー状の物である。底蓋３は樹脂製のもので本体２の下端に取り付けられるもので、本体底壁２４との間に底部空間３１ができる構造にしてあり、この空間にはうず巻き状冷却部材５が入れられる。また（ジョッキ）底蓋３にリブ７が形成してあるのでテーブルからの温度が底壁の保冷剤に伝わりにくくまた露垂を防止することもできる構造にしてある。
【００１５】
上記構成の組み立てられた冷蔵容器１は、そのまま冷やして使うことも出来る。その場合には約５０分かかる。また分解して別々に冷やす時は容器は５分ぐらいで冷えるが、冷却部材は約４５分ぐらいかかるのでお店などで使う時は限られた冷蔵容器１を効率良く使うために分解して別々に、冷蔵庫で冷やすとよく棒状冷却部材４と図３のうず巻き状冷却材７の数を多めにしておく事により、ジョッキ本体２とジョッキ底蓋３を外し図２の棒状冷却部材４を側壁空間２３に周りを囲むように取り入れ、底部空間３１に図３のうず巻き状冷却材７を入れ密封する事で、ジョッキ本体２を冷やし続ける事が出来る。このようにすれば冷蔵容器を数分で提供する事が出来る。
お客様から帰ってきた冷蔵容器１を上記のように繰り返し使えば、お店の回転率が良くなり業務用として使える。
【００１６】
次に図４は、本考案を実施するための第２の実施の形態として考えたもので第１の実施形態における棒状の冷却部材４をらせん状にしたものである。
ジョッキ本体２の側壁空間２３に、このらせん状冷却部材６を入れて使用するものである。図２の棒状冷却部材より場所はとるが、簡単に入れることが出来る。
【００１７】
尚、冷却部材の断面形状は円形に限らず、多角形、半円形、台形等の変形が可能である。
【００１８】
冷蔵容器１の本体２はガラス又はアルミニウム又は樹脂などいずれの素材を用いても良い。
また、保冷剤容器４１の材質は樹脂等の弾性素材で良い。
この冷凍された冷蔵容器を冷蔵庫から取り出してビールを注入すれば、ビールを
を冷やし、しかも長い時間冷やし続けるのでおいしく飲みつづけることが可能
となる。
【００１９】
次に図５は第３の実施形態である。なお、これらの本考案を実施するための
異なる形態の説明に当たって前記本考案を実施するための最良の第１形態と
同一構成部分には同一符号を付して重複する説明を省略する。
【００２０】
図５に示す本考案を実施するための第３の形態において、前記本考案を実施するた
めの最良の第１の実施形態と主に異なる点は口座９が取り外しできる構造とし、ここから冷却部材４、６の出し入れができるようにしたところが違う点でこのように形成した氷入れにしても、前記本考案を実施するための最良の第１の形態と同様な作用効果が得られる。
まず、第１に氷が溶けづらいのは基より、数時間毎に保冷容器を交換することによってクラブ等では高額な氷を使うため、経済的に負担が少なくて済む。
【００２１】
実験では従来の２層冷蔵容器では冷却に４〜５時間かかる所を本考案では、約５０分で凍らせることができた。
従来の２層保冷容器では家庭用という、向きがあったが、本考案ではお店に
出す時にストックが少なくてすむというメリットから業務用に使うことができる。
すなわちジョッキ本体を５分程冷やしストックを少なめにし、冷蔵庫で冷やし
棒状保冷部材及び、らせん状冷却部材、うず巻き状冷却部材をジョッキの数分より多く単独で冷やしておき、挿入する事によって、数分間で繰り返し使えば、お店の回転率が良くなり業務用として提供出来る。
【００２２】
図７、図８は本考案の第５の実施形態として考えたもので、第２の実施形態におけるプラスチックフィルム側面冷却剤容器にしたものである。このらせん状保冷剤容器６１の変形例であり冷却具は平行して配列された複数の区画室を有するプラスチックフィルム制外袋体の各区画室内に、保冷剤を夫々個別に封入されたものでプラスチックフィルム側面冷却剤容器１５はジョッキ本体２の側壁空間２３に入れて使用するものである。図７、図８のプラスチックフィルム側面冷却剤容器は場所をとらず簡単に入れることができる。
図９はプラスチックフィルム底面冷却剤容器である。柔軟で曲面への装着性に
優れているので、クーラーボックスなどにも入れやすく、アウトドアにも向いている。
【産業上の利用可能性】
【００２３】
次に図６は本考案を実施するための第４の実施形態として考えたもので、第１の。
実施形態の本体２の側壁空間２３と保冷剤４２を外し、皿の形に変形させたものである。底部空間にうずまき状冷却部材５を入れ使用する。この（皿）本体１０は冷やしソーメンやアイスクリームなど、時間が経過すると食感を損なうといった問題点を解決することができる。
【００２４】
本考案は冷蔵容器を製造する産業で利用される。
【図面の簡単な説明】
【００２５】
【図１】本考案を実施するための最良の第一の形態の、冷蔵容器（ビールジョッキ）の縦の断面図。
【図２】本考案を実施するための最良の第一の形態の、冷蔵容器本体の側壁空間に入れる    （棒状）冷却部材の斜視図。
【図３】本考案を実施するための最良の第一の形態の、冷蔵容器本体底部空間に入れる      うず巻き状の冷却部材の平面図。
【図４】第二の形態の、冷蔵容器本体の側壁空間に入れる、らせん状の冷却部材の斜視図。
【図５】第三の実施の形態の保冷容器（氷入れ）の縦の断面図。
【図６】第四の実施の形態の保冷容器（皿）の縦の断面図。
【図７】本考案を実施するための最良の第一の形態の、冷蔵容器本体の側壁空間に入れる      プラスチックフィルム側面冷却剤容器の斜視図。
【図８】本考案を実施するための最良の第一の形態の、冷蔵容器本体の側壁空間に入れる      プラスチックフィルム側面冷却剤容器の平面図。
【図９】本考案を実施するための最良の第一の形態の、冷蔵容器本体の底部空間に入れる      プラスチックフィルム底部冷却剤容器の平面図。
【符号の説明】
【００２６】
１  冷蔵容器    ２（ジョッキ）本体    ３（ジョッキ）底蓋
２１  内壁    ２２  外壁    ２３側壁空間
２４  底壁    ３１  底部空間    ４  （棒状）冷却部材
４１  棒状保冷剤容器    ４２  保冷剤    ５  うず巻き状冷却部材
６  らせん状冷却部材    ７  リブ    ９  口座  
５１  うず巻き状保冷剤容器    ６１  らせん状保冷剤容器
１０（皿）本体    １１（皿）底蓋  
１２  プラスチックフィルム側面冷却具  １３  プラスチックフィルム底部冷却具
１４  プラスチックフィルム側面冷却具斜視図
１５  プラスチックフィルム側面冷却剤容器
１６  プラスチックフィルム底部冷却剤容器
【図１】
0003138983.tif 000003
【図２】
0003138983.tif 000004
【図３】
0003138983.tif 000005
【図４】
0003138983.tif 000006
【図５】
0003138983.tif 000007
【図６】
0003138983.tif 000008
【図７】
0003138983.tif 000009
【図８】
0003138983.tif 000010
【図９】
0003138983.tif 000011